(57)【要約】【課題】  枠と戸の間の隙間を塞ぐ不燃性タイト材に亀裂が生じても、枠と戸の間から火炎や煙等が侵入するのを防止できる建具の提供。【解決手段】  枠１と、枠１に開閉自在に支持した戸２とを備え、戸２は、金属製框３２の室内側面を樹脂カバー３３で覆ってあると共に、金属製框３２に金属製補助材４１が取付けてあり、金属製補助材４１は、樹脂カバー３３の外周側見込面を覆っており、枠１の見込面と金属製補助材４１の見込面との間に熱膨張性耐火材４５ａ，４５ｂが設けてある。【選択図】      図２
2015092060.tif 000002
【特許請求の範囲】
【請求項１】
枠と、枠に開閉自在に支持した戸とを備え、戸は、金属製框の室内側面を樹脂カバーで覆ってあると共に、金属製框に金属製補助材が取付けてあり、金属製補助材は、樹脂カバーの外周側見込面を覆っており、枠の見込面と金属製補助材の見込面との間に熱膨張性耐火材が設けてあることを特徴とする建具。
【発明の詳細な説明】
【技術分野】
【０００１】
本発明は、耐火性能を向上させた建具に関する。
【背景技術】
【０００２】
従来、勝手口ドア等の建具においては、非特許文献１に示すように、枠の内周側にタイト材を設け、タイト材を戸の室内側面に当接させることで、止水性・気密性を確保している。
このような建具の防火性能を向上するための対策としては、タイト材に焼結ゴム等の不燃性材料を用いることが考えられる。しかしそのような不燃性タイト材は、火災が発生すると硬化して亀裂が生ずることがあり、タイト材に亀裂が生ずると枠と戸の間に隙間ができ、その隙間から火炎や煙等が侵入する。
【先行技術文献】
【特許文献】
【０００３】
【非特許文献１】三協立山アルミ株式会社発行のカタログ「マディオＪ・Ｍ  総合カタログ」（カタログＮｏ．ＳＴＪ０５６０Ａ  Ｃ．１０．０６−２００）、第１版、２０１０年６月、ｐ．９７０−９７３
【発明の概要】
【発明が解決しようとする課題】
【０００４】
本発明は以上に述べた実情に鑑み、枠と戸の間の隙間を塞ぐ不燃性タイト材に亀裂が生じても、枠と戸の間から火炎や煙等が侵入するのを防止できる建具の提供を目的とする。
【課題を解決するための手段】
【０００５】
上記の課題を達成するために請求項１記載の発明による建具は、枠と、枠に開閉自在に支持した戸とを備え、戸は、金属製框の室内側面を樹脂カバーで覆ってあると共に、金属製框に金属製補助材が取付けてあり、金属製補助材は、樹脂カバーの外周側見込面を覆っており、枠の見込面と金属製補助材の見込面との間に熱膨張性耐火材が設けてあることを特徴とする。
【発明の効果】
【０００６】
請求項１記載の発明による建具は、金属製框に金属製補助材が取付けてあり、金属製補助材は樹脂カバーの外周側見込面を覆っており、火災時に樹脂カバーが無くなっても金属製補助材は残り、さらに、枠の見込面と金属製補助材の見込面との間に熱膨張性耐火材が設けてあり、火災時には熱膨張性耐火材が発泡して枠と金属製補助材間の隙間を塞ぐことで、室内外を効率的に遮断することができる。
【図面の簡単な説明】
【０００７】
【図１】図４のＡ−Ａ断面図である。
【図２】図４のＢ−Ｂ断面図である。
【図３】図４のＣ−Ｃ断面図である。
【図４】本発明の建具の一実施形態に係る勝手口ドアの室内側正面図である。
【図５】戸先側の竪枠の内周側側面図である。
【図６】火災時におけるドア戸先側下部の横断面図であって、（ａ）は火災の初期の状態、（ｂ）は火災発生から時間が経ったときの状態を示す。
【図７】火災時におけるドア下部の縦断面図である。
【発明を実施するための形態】
【０００８】
以下、本発明の実施の形態を図面に基づいて説明する。図１〜５は、本発明の建具の一実施形態である勝手口ドアを示している。本ドアは、図２〜４に示すように、躯体開口部に取付けられる枠１と、枠１に蝶番５１で開閉自在に取付けた戸２とを備える。
枠１は、上枠３と下枠４と左右の竪枠５，６を四周枠組みして構成してある。戸２は、上框７と下框８と吊元框９と戸先框１０とを四周框組みし、その内側にガラスパネル（複層ガラス）１１を納めて構成してある。戸２は、図４に示すように、戸先框１０の上下方向の中間部にハンドル１２と上下二つの錠１３ａ，１３ｂが設けてある。上枠３と上框７間には、ドアクローザー１４が設けてある。
さらに、戸先框１０の上部と下部の室内側面には、ヒューズユニット１５が設けてある。ヒューズユニット１５は、図１に示すように、ケース１６内にデッドボルト１７を戸先側から出没可能に備え、デッドボルト１７はスプリング１８で突出方向に付勢され、通常時は熱に溶けやすい材質で形成したヒューズ部材１９によりケース１６内に保持されている。火災時には、図６に示すように、ヒューズ部材１９が火災の熱で溶断するのに伴いデッドボルト１７が戸先側に突出し、デッドボルト１７が竪枠５に係止することで、戸２が変形して戸先側の上部と下部が竪枠５から離れようとするのを規制する。
【０００９】
上枠３は、図２に示すように、アルミニウム合金の押出形材で形成され、室内側に樹脂カバー２０と樹脂アングル２１が係合取付けしてある。上枠３は、室内側寄りの位置にタイト材ホルダー２２が内周側に突出して形成され、タイト材ホルダー２２に焼結クロロプレンゴムよりなる不燃性タイト材２３が室外側に向けて取付けてあり、不燃性タイト材２３に戸２の上縁部の室内側面が当接している。
上枠３の内周側見込面３ａの不燃性タイト材２３の外周側の位置には、熱に反応して発泡・膨張する熱膨張性耐火材２４が長手方向に沿って設けてある。かかる熱膨張性耐火材２４は、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。
【００１０】
下枠４は、アルミニウム合金の押出形材で形成され、室内側に樹脂カバー２０と樹脂アングル２１が係合取付けしてある。下枠４は、室内側寄りの位置にタイト材ホルダー２２が内周側に突出して形成され、タイト材ホルダー２２に不燃性タイト材２３が室外側に向けて取付けてあり、不燃性タイト材２３に戸２の下縁部の室内側面が当接している。下枠４の内周側見込面４ａの不燃性タイト材２３の外周側の位置には、熱に反応して発泡・膨張する熱膨張性耐火材２４が長手方向に沿って設けてある。
【００１１】
左右の竪枠５，６は、図３に示すように、アルミニウム合金の押出形材で形成され、室内側に樹脂アングル２１が係合取付けしてある。竪枠５，６は、室内側寄りの位置にタイト材ホルダー２２が内周側に突出して形成され、タイト材ホルダー２２に不燃性タイト材２３が室外側に向けて取付けてあり、不燃性タイト材２３に戸２の側縁部の室内側面が当接している。竪枠５，６の内周側見込面５ａ，６ａの不燃性タイト材２３の外周側の位置には、熱に反応して発泡・膨張する熱膨張性耐火材２４が長手方向に沿って設けてある。
以上に述べたように枠１は、室内側を樹脂カバー２０及び樹脂アングル２１で覆うことで、室内側の結露を防止すると共に断熱性を向上させている。さらに枠１は、戸２の室内側面に当接する四周の不燃性タイト材２３の周囲を囲むように、内周側見込面３ａ，４ａ，５ａ，６ａに熱膨張性耐火材２４を設けている。
【００１２】
戸先側の竪枠５は、図１，５に示すように、内周側見込面５ａに上下の錠１３ａ，１３ｂ用の錠受け２５ａ，２５ｂが設けてあり、下側の錠受け２５ｂから下枠４上面までの範囲の内周側見込面５ａに、長手方向に沿って突出部２６を設けている。突出部２６は、室外側面が竪枠５の室外側面と略面一となるように竪枠５の内周側見込面５ａの室外側寄りの位置に取付けられ、戸先框１０に形成された煙返し２７と対向するように配置されている。突出部２６は、アルミ製の溝型フレーム２８を竪枠５にネジ２９で固定し、溝型フレーム２８の開口部に目板３０を取付けてネジ２９を隠し、上端部に小口キャップ３１を取付けた構成となっている。
【００１３】
戸２の上框７と下框８と吊元框９と戸先框１０は、図２，３に示すように、アルミニウム合金の押出形材よりなる金属製框３２と、金属製框３２の室内側面に係合取付けした樹脂カバー３３とを備え、金属製框３２と樹脂カバー３３とで内周側に開口したガラス溝３４を構成し、ガラス溝３４にグレチャン３５を介してガラスパネル１１の端部を嵌め込んでいる。グレチャン３５は、焼結シリコンゴムで形成されており、火災時でも燃えないものとなっている。
各框７，８，９，１０のガラス溝３４内には、グレチャン３５の外側を囲むようにステンレスの薄板を溝型に折り曲げて形成したガラス間口補強材３６がガラス溝３４の全長に亘って配置され、金属製框３２にビス３７で固定してある。さらに、グレチャン３５の外側面とガラス間口補強材３６の内側面（いずれも見込面）との間の室内側寄りの位置に、長手方向に沿って熱膨張性耐火材３８を設けている。
金属製框３２の中空部内には、コ字形断面の補強材３９が長手方向のほぼ全長にわたって配置され、長手方向に所定のピッチでネジ４０により固定してある。補強材３９は、高耐食溶融メッキ鋼板を折り曲げて形成している。このように補強材３９を設けることで、火災時における各框７，８，９，１０の熱伸びとたわみを防止できる。
【００１４】
さらに上框７と下框８は、図２に示すように、外周側見込面７ａ，８ａに長手方向に沿って金属製補助材４１が取付けてある。金属製補助材４１は、ステンレスの板を折り曲げて形成したものであり、金属製框３２にネジ４２で固定される固定部４３と、樹脂カバー３３の室内側見付面３３ａ上に延出する延出部４４を有しており、延出部４４に上枠３と下枠４の不燃性タイト材２３が当接している。金属製補助材４１の見込面には、熱膨張性耐火材４５ａ，４５ｂ，４５ｃが長手方向に沿って設けてある。
【００１５】
戸先框１０は、図１に示すように、室外側面に戸先側に突出する煙返し２７が設けてあり、煙返し２７により竪枠５と戸先框１０の見込面５ａ，１０ａ間の隙間を塞いでいる。煙返し２７の先端部には不燃性タイト材４６が設けてあり、不燃性タイト材４６の先端部が竪枠５の室外側面に当接している。煙返し２７の室内側面には、熱膨張性耐火材４７が長手方向に沿って設けてある。戸先框１０は、金属製框３２に樹脂カバー３３の外周側に延出する延出部４８を有し、延出部４８に竪枠５の不燃性タイト材２３が当接している。戸先框１０の外周側見込面１０ａの室内側寄りの位置には、熱膨張性耐火材４９が長手方向に沿って設けてある。図３に示すように、吊元框９の外周側見込面９ａにも熱膨張性耐火材４９が長手方向に沿って設けてある。
【００１６】
火災が発生すると、戸２は火災の熱で上下方向に伸びようとするため、熱せられた面側が膨らむように反りが発生し、戸２の吊元側は竪枠６に蝶番５１で拘束され、戸先側の上下方向の中間部は錠１３ａ，１３ｂにより竪枠５と係合しているため、戸先側の上部と下部で反りが大きくなり、竪枠５との間に隙間が開きやすい。戸先框１０と竪枠５間の隙間のうち、上側の隙間からは燃焼側の熱い空気が流出し、下側の隙間からは燃焼側に比較的冷たい空気が流入することとなる。上側の隙間は、燃焼側の熱い空気が流出する関係で戸先框１０の見込面１０ａに設けた熱膨張性耐火材４９が早期に発泡・膨張して塞がれるが、下側の隙間は燃焼側に比較的冷たい空気が流入する関係で熱膨張性耐火材４９が発泡しにくい。本ドアは、図６（ａ）に示すように、竪枠５の内周側見込面５ａの室外側寄りの位置に、下側の錠受け２５ｂから下枠４上面までの範囲にわたって突出部２６を煙返し２７と対向するように設けたので、熱膨張性耐火材４９が発泡する前の火災初期において、煙返し２７と竪枠５の突出部２６とで隙間を隠すことで火炎や煙等の侵入５０を遮り、延焼を防止できる。また、このように竪枠５の内周側見込面５ａに突出部２６が設けてあることで、燃焼側に冷たい空気が流入するのを抑えられるため、戸先框１０の見込面１０ａや煙返し２７の室内側面に設けた熱膨張性耐火材４７，４９が発泡するのを促進でき、図６（ｂ）に示すように、これらの熱膨張性耐火材４７，４９が発泡して戸先框１０と竪枠５間の隙間を塞ぐことで、火炎や煙等の侵入を確実に阻止できる。
吊元框９と竪枠６の見込面９ａ，６ａ間、上框７と上枠３の見込面７ａ，３ａ間、下框８と下枠４の見込面８ａ，４ａ間にもそれぞれ熱膨張性耐火材４５ａ，４５ｂ，４９が介在しており、火災時にはこれらの熱膨張性耐火材４５ａ，４５ｂ，４９が発泡して戸と枠の見込面間の隙間を塞ぎ、火炎や煙等の侵入を阻止する。
【００１７】
さらに本ドアは、上框７と下框８の見込面７ａ，８ａに金属製補助材４１が取付けてあり、金属製補助材４１は樹脂カバー３３の室内側見付面３３ａ上に延出する延出部４４を有し、延出部４４に上枠３と下枠４の不燃性タイト材２３が当接するようにしたので、図７に示すように、火災時に樹脂カバー３３が焼失したり剥離したりして無くなったとしても、上下框７，８と上下枠４，５の間に隙間が開かず、戸と枠の間から火炎や煙等が侵入するのを防止できる。下框８に取付けた金属製補助材４１は、内周側の見込面にも熱膨張性耐火材４５ｃが設けてあり、火災時にはこの熱膨張性耐火材４５ｃが発泡して金属製框３２と不燃性タイト材２３間の隙間を塞ぐ。金属製補助材４１は、戸２を閉めた状態では不燃性タイト材２３で隠れるため、目立ちにくい。
戸先框１０は、金属製框３２に樹脂カバー３３の外周側に延出する延出部４８を有し、延出部４８に竪枠５の不燃性タイト材２３が当接しているため、火災時に樹脂カバー３３がなくなっても、戸先框１０と竪枠５間に隙間が開かない。
【００１８】
枠１の不燃性タイト材２３は、火災時に硬化して亀裂が生ずることがあるが、本ドアは不燃性タイト材２３の周囲を囲むように枠１の内周側見込面３ａ，４ａ，５ａ，６ａに熱膨張性耐火材２４が設けてあり、図７に示すように、火災時にはこの熱膨張性耐火材２４が発泡して不燃性タイト材２３に当接し、不燃性タイト材２３の亀裂が生じた部分を熱膨張性耐火材２４が埋めるため、不燃性タイト材２３の亀裂が生じた部分から火炎や煙等が侵入するのを阻止できる。
【００１９】
さらに本ドアは、戸２のガラス溝３４内に金属製のガラス間口補強材３６が設けてあることで、図７に示すように、火災時に樹脂カバー３３が無くなったとしても、ガラスパネル１１が脱落するのを防止できる。また、グレチャン３５とガラス間口補強材３６との間に熱膨張性耐火材３８が介在しているため、火災時にグレチャン３５に亀裂が生じたとしても、発泡した熱膨張性耐火材３８がグレチャン３５の隙間が生じた部分を埋めるため、グレチャン３５の亀裂が生じた部分から火炎や煙等が侵入するのを阻止できる。
【００２０】
本発明は以上に述べた実施形態に限定されない。竪枠５の突出部２６は、竪枠５に一体成形し、不要な部分を切り欠いてもよい。不燃性タイト材２３の形状、材質は、適宜変更することができる。金属製補助材４１は、火災時に容易に変形したり溶融したりしない材質で形成してあればよく、その形状は適宜変更することができる。本発明は、勝手口ドアに限らず、玄関ドアや開き窓等、あらゆる建具に適用することができる。
【符号の説明】
【００２１】
１  枠
２  戸
３  上枠
４  下枠
５，６  竪枠
７  上框
８  下框
９  吊元框
１０  戸先框
２３  不燃性タイト材
２４  熱膨張性耐火材
２６  突出部
２７  煙返し
３２  金属製框
３３  樹脂カバー
４１  金属製補助材
４３  固定部
４４  延出部
４５ａ，４５ｂ，４５ｃ，４７，４９  熱膨張性耐火材
【図１】
2015092060.tif 000003
【図２】
2015092060.tif 000004
【図３】
2015092060.tif 000005
【図４】
2015092060.tif 000006
【図５】
2015092060.tif 000007
【図６】
2015092060.tif 000008
【図７】
2015092060.tif 000009